(57)【要約】【課題】  全閉状態で３枚の引戸が面一に連続した状態を保持でき、開く際に引戸同士が衝突しない。【解決手段】  ３枚の引戸１は閉じた状態で一列に面一となるように配置される。一方引戸１ａを他方引戸１ｂ側に向かって移動して一方引戸１ａを他方引戸１ｂの前に重なるように誘導し、且つ中央引戸１ｃを他方引戸１ｂ側に向かって移動して他方引戸１ｂの後に重なるように誘導する誘導機構１９を備える。誘導機構１９が引戸１の上部の左右に取付けられる上ランナーと、上ランナーを走行自在にガイドする上レール５とで構成される。３枚の引戸１を一列に面一に並んで閉じた状態においてランナー２１が係合する凹部２ａを上レール５に設けて面一状態閉じ保持手段２を構成する。【選択図】        図１
2006112160.tif 000002
【特許請求の範囲】
【請求項１】
３枚の引戸を備えた引戸装置であって、閉じた状態で中央引戸と、中央引戸の一方の側方に配置される一方引戸と、中央引戸の他方の側方に配置される他方引戸とからなり、且つ、上記３枚の引戸は閉じた状態で一列に面一となるように配置され、一方引戸を他方引戸側に向かって移動して一方引戸を他方引戸の前に重なるように誘導し、且つ中央引戸を他方引戸側に向かって移動して他方引戸の後に重なるように誘導する誘導機構を備え、当該誘導機構が引戸の上部に取付けられる上ランナーと当該上ランナーを走行自在にガイドする上レールとで構成され、上記３枚の引戸を一列に面一に並んで閉じた状態においてランナーが係合する凹部又は凸部を上レールに設けて面一に並んで閉じた状態を保持する面一状態閉じ保持手段を構成して成ることを特徴とする引戸装置。
【請求項２】
３枚の引戸を備えた引戸装置であって、閉じた状態で中央引戸と、中央引戸の一方の側方に配置される一方引戸と、中央引戸の他方の側方に配置される他方引戸とからなり、且つ、上記３枚の引戸は閉じた状態で一列に面一となるように配置され、一方引戸を他方引戸側に向かって移動して一方引戸を他方引戸の前に重なるように誘導し、且つ中央引戸を他方引戸側に向かって移動して他方引戸の後に重なるように誘導する誘導機構を備え、一方引戸の側端部及びこれと対向する戸枠の一方に磁石、他方に当該磁石と磁着する磁性体を設けて３枚の引戸が一列に面一に並んで閉じた状態を保持する面一状態閉じ保持手段を構成して成ることを特徴とする引戸装置。
【発明の詳細な説明】
【技術分野】
【０００１】
本発明は、引戸装置に関し、詳しくは閉じた状態で各引戸が段差無く一列に面一となる引戸装置に関するものである。
【背景技術】
【０００２】
従来から、３枚の引戸の場合、各引戸が各々平行に直進移動して閉状態と右開き状態又は左開き状態となる引き違い式の引戸装置が知られている（例えば、特許文献１参照）。
【０００３】
ところが、上記特許文献１に見られる従来例では、閉状態では手前側から後方にかけて各引戸が段差状となるため、外観上の見栄えが悪いだけでなく、各引戸ごとに上レールの長手方向と直交する前後方向に３本のレール部を並設する必要があり、このため上レールの全体の見込み寸法（奥行き）を大きくとる必要が生じるなど、施工自由度が小さいという制約もあった。
【０００４】
また、親引戸の表面側に子引戸を開閉方向に移動自在に取付け、親引戸の裏面側に別の子引戸を開閉方向に移動自在に取付け、一方の子引戸を親引戸の表面側に、他方の子引戸を親引戸の裏面側に重ねることで開いた時に大きく開口させることができるようにした引戸装置が特許文献２に示してある。
【０００５】
この特許文献２に示された従来例では、レールの本数を少なくすることが可能であるが、親引戸に子引戸を走行自在にガイドするためのガイド溝、スライダを設ける必要があり、開状態ではガイド溝が露出して外観を悪くしてしまう。
【０００６】
また、全閉状態では親引戸の両側に２枚の子引戸が引き出されて閉じた状態で段差ができないようなっているが、完全に閉じた状態であるかどうかが確認できず、また、全閉状態で段差が生じていない状態を維持する機構がなく、したがって、閉じた状態で、不用意に子引戸に外力が作用すると、子引戸が親扉の表面側又は裏面側に重なるように動いてしまうという問題があった。
【０００７】
また、引戸において、閉じた際に引戸を仮固定するためのストッパを設けて、引戸を閉じた際に引戸がはね返って隙間が開いたりする現象を防止して閉じた状態で密閉状態を維持するようにしたものが例えば特許文献３により知られている。
【０００８】
しかしながら、この特許文献３に示されるものは引き違い引戸において、引戸を勢い良く閉じた場合に反動で引戸がはね返らないようにするためのストッパに過ぎず、３枚の引戸を閉じた状態で３枚の引戸が一列に面一に連続した状態を維持するための技術については開示してない。
【特許文献１】実開昭５１−１０３５２４号公報
【特許文献２】特開平１１−２２９７０３号公報
【特許文献３】特開平１１−１５２９６１号公報
【発明の開示】
【発明が解決しようとする課題】
【０００９】
本発明は上記の従来の問題点に鑑みて発明したものであって、全閉状態で３枚の引戸が一列に段差無く面一に連続して並んで連続した壁のような外観を呈することができ、この面一に連続して段差の無い状態を確実に保持でき、全閉ではあっても僅かに段差が生じていたりするのを確実に防止でき、面一に連続して並んだ状態を保持できることで、開く際にも引戸同士が衝突することなくスムーズに開くことが可能となる引戸装置を提供することを課題とするものである。
【課題を解決するための手段】
【００１０】
前記課題を解決するために本発明にあっては、引戸装置は、３枚の引戸１を備えた引戸装置であって、閉じた状態で中央引戸１ｃと、中央引戸１ｃの一方の側方に配置される一方引戸１ａと、中央引戸１ｃの他方の側方に配置される他方引戸１ｂとからなり、且つ、上記３枚の引戸１は閉じた状態で一列に面一となるように配置され、一方引戸１ａを他方引戸１ｂ側に向かって移動して一方引戸１ａを他方引戸１ｂの前に重なるように誘導し、且つ中央引戸１ｃを他方引戸１ｂ側に向かって移動して他方引戸１ｂの後に重なるように誘導する誘導機構１９を備え、当該誘導機構１９が引戸１の上部の左右に取付けられる上ランナー２１、２２、２３と、当該上ランナー２１、２２、２３を走行自在にガイドする上レール５とで構成され、上記３枚の引戸１を一列に面一に並んで閉じた状態においてランナー２１、２２、２３が係合する凹部２ａ又は凸部を上レール５に設けて面一に並んで閉じた状態を保持する面一状態閉じ保持手段２を構成して成ることを特徴とするものである。
【００１１】
また、３枚の引戸１を備えた引戸装置であって、閉じた状態で中央引戸１ｃと、中央引戸１ｃの一方の側方に配置される一方引戸１ａと、中央引戸１ｃの他方の側方に配置される他方引戸１ｂとからなり、且つ、上記３枚の引戸１は閉じた状態で一列に面一となるように配置され、一方引戸１ａを他方引戸１ｂ側に向かって移動して一方引戸１ａを他方引戸１ｂの前に重なるように誘導し、且つ中央引戸１ｃを他方引戸１ｂ側に向かって移動して他方引戸１ｂの後に重なるように誘導する誘導機構１９を備え、一方引戸１ａの側端部及びこれと対向する戸枠４の一方に磁石２ｂ、他方に当該磁石２ｂと磁着する磁性体２ｃを設けて３枚の引戸１が一列に面一に並んで閉じた状態を保持する面一状態閉じ保持手段２を構成して成ることを特徴とするものであってもよい。
【００１２】
本発明においては、上記のように、３枚の引戸１が閉じた状態で一列に面一となるように配置されるように構成してあることで、３枚の引戸１を閉じた状態で隣接する引戸１間に段差が生じることがなくて、一連の連続した壁面としての外観を呈することができる。しかも、この３枚の引戸１を閉じて一列に面一となるようにした状態で、ランナー２１、２２、２３が上レール５に設けた凹部２ａ又は凸部に係合して面一状態を保持したり、あるいは磁石２ｂと磁性体２ｃとが磁着して面一状態を保持したりでき、これにより、単に閉じた状態の維持だけでなく、面一に連続した一連の連続した壁面としての外観を維持できることになり、しかも、面一に連続した状態を面一状態閉じ保持手段２で保持できるので、一方引戸１ａ及び中央引戸１ｃを移動してそれぞれ他方引戸１ｂの前後に重ねるようにして開く場合、全閉状態で上記のように面一状態閉じ保持手段２により段差がないように面一に保持してあることで、他方引戸１ｂが前後方向の一定位置に位置することになり、この結果、閉じてはいるが、僅かに段差が生じていたりするという現象が生じないようにでき、一方引戸１ａ及び中央引戸１ｃの移動方向の先端が他方引戸１ｂの端部に衝突することなく、スムーズに他方引戸１ｂの前後に重ねることができるものである。
【発明の効果】
【００１３】
本発明にあっては、上記のように全閉状態で３枚の引戸が一列に段差無く面一に連続して並んで連続した壁のように外観上の一体感を持たせることができて外観が良くなるものであり、また、全閉状態で３枚の引戸を面一に連続して段差の無い状態に確実に保持することができ、閉じてはいるが僅かに段差が生じていたりするという現象が生じるのを確実に防止でき、面一に連続して並んだ状態を保持できることで、開く際にも引戸同士が衝突することなくスムーズに開くことが可能となる。
【発明を実施するための最良の形態】
【００１４】
以下、本発明を添付図面に示す実施形態に基いて説明する。
【００１５】
本発明の引戸装置は、図１、図２に示すように３枚の引戸１を有し、閉じた状態で中央引戸１ｃと、中央引戸１ｃの一方の側方に配置される一方引戸１ａと、中央引戸１ｃの他方の側方に配置される他方引戸１ｂとで構成され、閉じた状態で上記３枚の引戸１が一列に並ぶだけでなく３枚全体が段差なく面一となるように配置されるようになっている。これにより例えばクローゼットの扉として用いた場合、３枚の引戸１が段差無く面一に連続した一連の壁としての外観を呈することができるようになっており、見栄えが良好となる。
【００１６】
上記３枚の引戸１は、図１に示すように、一方引戸１ａ側から他方引戸１ｂ側に移動して開く際には該一方引戸１ａが他方引戸１ｂの前方Ａに誘導し且つ中央引戸１ｃを他方引戸１ｂの後方Ｂに誘導するための誘導機構１９と、一方引戸１ａ側の操作力を中央引戸１ｃに伝達して中央引戸１ｃを一方引戸１ａに追従して開閉させるための連動機構１５とを備えている。
【００１７】
先ず、誘導機構１９は、引戸１の上部に各々取り付けられる上ランナー２１〜２３と、引戸１の下部に各々取り付けられる下ローラー２７と、上記上ランナー２１〜２３、下ローラー２７を走行自在にガイドする戸枠４に設けた上下レール５、６とで構成してある。
【００１８】
戸枠４は３枚の引戸１を開閉自在に取付けるための開口部に取付けられる矩形状の枠体であり、上記上下レール５、６と左右縦枠４ａとで構成してある。
【００１９】
ランナー２１〜２３はそれぞれ引戸１の後面の上端部の左右方向の両端部に逆Ｌ字状をした逆Ｌ型金具２８を介して取付けてあり、ランナー２１〜２３は引戸１の上端部の後方に位置しており、ランナー２１〜２３を後述の上レール５に走行自在に取付けた場合、ランナー２１〜２３による上レール５の走行支持部分よりも前方にずれて引戸１が吊り下げられることになる。
【００２０】
上レール５は、図３、図４に示すように、躯体に固定される上レール本体５０と、上レールカバー５１（実施形態では上レールカバー５１は長手方向において複数に分割してある）とに分割されていると共に、上レール本体５０と上レールカバー５１とが互いにネジ固定されるようになっている。
【００２１】
上レール本体５０に上レールカバー５１を取付けて構成した上レール５には、図３、図４に示すように、上レール５の長手方向Ｍと直交する前後方向Ａ，Ｂに並んで、溝状の共用レール部７と溝状の中央引戸用レール部８とが並設されている。共用レール部７は、一方及び他方引戸１ａ、１ｂ（すなわち右側の引戸１ａ、左側の引戸１ｂ）の各上端部の両端２箇所に設けた左右２個の上ランナー２１、２２をそれぞれ走行自在にガイドするものであり、中央引戸用レール部８は中央引戸１ｃの上端部に設けた左右２個の上ランナー２３を走行自在にガイドするものである。
【００２２】
上記共用レール部７は、上レール５の長手方向Ｍと平行に延びた前側直進レール部９と、前側直進レール部９の長手方向Ｍの両端側からそれぞれ後方Ｂに向って略Ｌ字状に屈曲した左右２個の外側曲進レール部１１と、前側直進レール部９の長手方向Ｍの両端側よりも内側に寄った２箇所からそれぞれ分岐して後方Ｂに向って略Ｌ字状に屈曲した左右２個の内側曲進レール部１２とを備えている。これら２本のレール部（共用レール部７、中央引戸用レール部８）で３枚の引戸１をガイドすることで、上レール５全体の見込み寸法Ｆ（図４）を小さくすることが可能となり、例えばクローゼットの扉として用いた場合は収納量アップを図ることができると共に、仮りにクローゼット内で荷崩れが発生した場合でも、例えば、一方引戸１ａは閉状態から他方引戸１ｂ側に移動させることで、外側曲進レール部１１、内側曲進レール部１２に沿って前方に移動して前側直進レール部９に沿って開方向（他方引戸１ｂ側）に移動して開くことが可能となる。
【００２３】
また、上記中央引戸用レール部８は、前側直進レール部９と平行な後側直進レール部１０と、後側直進レール部１０における左右２個の内側曲進レール部１２と対向する位置よりもそれぞれ内側に寄った２箇所から前方Ａに向って半円形状に湾曲した左右２個の湾曲レール部１３とを備えている。なお図１、図３、図４中の１０ａ、１０ｂは、後側直進レール部１０の長手方向の中間部と左右の湾曲レール部１３との連通部分から分岐し後側直進レール部１０の中間部分から後側直進レール部１の左右両側部側に向けてそれぞれ連出した直進部であって、直進部１０ａには中央引戸１ｃを左端に寄せたときに中央引戸１ｃの右側の上ランナー２３が入り込む部分であり、１０ｂは、中央引戸１ｃを右端に寄せたときに中央引戸１ｃの左側の上ランナー２３が入り込む部分である。
【００２４】
上記共用レール部７に設けた左右２個の外側曲進レール部１１の後端部と、左右２個の内側曲進レール部１２の後端部と、中央引戸用レール部８における左右２個の湾曲レール部１３の前端部とは、前側直進レール部９、後側直進レール部１０と平行な仮想直線上に位置している。また、左側の外側曲進レール部１１の後端部と左側の内側曲進レール部１２の後端部との間の距離は左側の引戸１（つまり他方引戸１ｂ）の左右の上ランナー２２間の距離に等しく、また、右側の外側曲進レール部１１の後端部と右側の内側曲進レール部１２の後端部との間の距離は右側の引戸１（つまり一方引戸１ａ）の左右の上ランナー２１間の距離に等しく、更に、左右の湾曲レール部１３の前端部間の距離は中央引戸１ｃの左右の上ランナー２３間の距離に等しく設定してある。
【００２５】
ここで、閉状態では、図１（ａ）に示す他方引戸１ｂの各上ランナー２２が左側に位置する外側曲進レール部１１と内側曲進レール部１２の各後端部にそれぞれ入り込み、中央引戸１ｃの各上ランナー２３が左右２個の湾曲レール部１３の各前端部にそれぞれ入り込み、且つ一方引戸１ａの各上ランナー２１が右側に位置する外側曲進レール部１１と内側曲進レール部１２の各後端部にそれぞれ入り込むことで、各引戸１が上レール５の長手方向Ｍと平行な同一平面となるように（つまり、３枚の引戸１が面一に連続するように）並置される。
【００２６】
一方、図６の右開き状態では、図１（ｅ）のように他方引戸１ｂの各上ランナー２２が左側に位置する外側曲進レール部１１と内側曲進レール部１２の各後端部にそれぞれ入り込み、中央引戸１ｃの左側の上ランナー２３が後側直進レール部１０の左側の端部に移動すると共に右側の上ランナー２３が直進部１０ａにそれぞれ移動し、且つ一方引戸１ａの各上ランナー２１が前側直進レール部９の左側にそれぞれ移動することで、手前から順に一方引戸１ａと他方引戸１ｂと中央引戸１ｃとが重ねて並置される。
【００２７】
また、図７の左開き状態では、一方引戸１ａの各上ランナー２１が右側に位置する外側曲進レール部１１及び内側曲進レール部１２の各後端部にそれぞれ入り込み、中央引戸１ｃの右側の上ランナー２３が後側直進レール部１０の右側の端部に移動すると共に左側の上ランナー２３が直進部１ｂにそれぞれ移動し、且つ他方引戸１ｂの各上ランナー２２が前側直進レール部９の左側にそれぞれ移動することで、手前から順に他方引戸１ｂと一方引戸１ａと中央引戸１ｃとが重ねて並置される。
【００２８】
これら右開き状態と左開き状態とは任意に選択できるようになっている。つまり、誘導機構１９は、一方引戸１ａと中央引戸１ｃと他方引戸１ｂとを前後に重ねた状態で、中央引戸１ｃを他方引戸１ｂと重ならない位置に移動して他方引戸１ｂと面一となるように誘導し、且つ一方引戸１ａを他方引戸１ｂ及び中央引戸１ｃとは重ならない位置に移動して中央引戸１ｃと面一となるように誘導する機能も兼ねている。
【００２９】
なお、各引戸１の相互の突き合わせ部には、互いに対向する一対の隙間隠し用Ｌ形部材を取り付けてもよいが、例えば図１のように、各引戸１の突き合わせ面に斜め形状のカット部１７を設けて各引戸１間の隙間をなくすようにすることも可能である。
【００３０】
一方、各引戸１の上面の左右両側にはそれぞれ上ランナー２１（又は上ランナー２２、又は上ランナー２３）が設けてある。この上ランナー２１〜２３は、図８に示すように、一対の上ローラー２６を備えたローラーブロック２４と、ローラーブロック２４の上面から上方に突出する２個の補助ローラー２５ａ（又は補助ローラ２５ｂ）とで構成されている。この補助ローラー２５ａ（又は補助ローラ２５ｂ）は図４に示す分岐部材１８により曲進又は直進のいずれかに案内されるようになっている。
【００３１】
ここで、図４（ｂ）に示すように、一方引戸１ａ及び他方引戸１ｂの各右側端部に設けられた上ランナー２１（又は上ランナー２２）の上面の後方側にずれた位置に高さの低い２個の補助ローラ２５ａが上方に向けて突設してあり、また、一方引戸１ａ及び他方引戸１ｂの各左側端部に設けられた上ランナー２１（又は上ランナー２２）の上面の前方側にずれた位置に高さの高い２個の補助ローラ２５ｂが上方に向けて突設してあり、また、中央引戸１ｃの右側端部に設けられた上ランナー２３の上面の後方側にずれた位置に高さの高い２個の補助ローラ２５ｂにより構成される２連補助ローラ２５ｂが上方に向けて突設してあり、また、中央引戸１ｃの左側端部に設けられた上ランナー２３の上面の前方側にずれた位置に高さの低い２個の補助ローラ２５ａにより構成される２連補助ローラ２５ａが上方に向けて突設してある。
【００３２】
分岐部材１８は、上レール５の下面に設けてられるもので、図４（ａ）に示す外側曲進レール部１１、内側曲進レール部１２、湾曲レール部１３の各分岐点に設けられた下方に開口した断面逆Ｕ字状をした補助レール１８ａ〜１８ｆで構成されている。補助レール１８ａは左側の外側曲進レール部１１の前側にずれた位置においてに外側曲進レール部１１沿って形成してあり、また、補助レール１８ｂは左側の内側曲進レール部１２の後側にずれた位置においてに内側曲進レール部１２沿って形成してあり、また、補助レール１８ｃは右側の外側曲進レール部１１の後側にずれた位置においてに外側曲進レール部１１沿って形成してあり、補助レール１８ｄは右側の内側曲進レール部１２の前側にずれた位置においてに内側曲進レール部１２沿って形成してあり、また、補助レール１８ｅは左側の湾曲レール部１３の前側にずれた位置においてに湾曲レール部１３沿って形成してあり、補助レール１８ｆは右側の湾曲レール部１３の後側にずれた位置においてに湾曲レール部１３沿って形成してある。
【００３３】
上記補助レール１８ａ，１８ｄ，１８ｆは上レール５の下面から下方に短く垂下し、また、補助レール１８ｂ，１８ｃ，１８ｅは上レール５の下面から下方に長く垂下している。
【００３４】
そして、図８に示す背の低い２連補助ローラー２５ａを有するローラーブロック２４は、垂下長の短い補助レール１８ａ，１８ｄ，１８ｆ（図１１）と干渉することなく、垂下長の長い補助レール１８ｂ，１８ｃ，１８ｅ（図１１）に沿って曲進できるようになり、一方、背の高い２連補助ローラー２５ｂ（図１２）を有するローラーブロック２４は、垂下長の短い補助レール１８ａ，１８ｄ，１８ｆに沿って曲進できるようになっている。従って、背の低い２連補助ローラー２５ａを有するローラーブロック２４を前側直進レール部９の後方Ｂに沿って移動させることで、垂下長の短い補助レール１８ａ，１８ｄと干渉させることなく、垂下長の長い補助レール１８ｂ，１８ｃに誘導されるようになり、一方、背の高い２連補助ローラー２５ｂを有するローラーブロック２４を前側直進レール部９の前方Ａを移動させることで、垂下長の短い補助レール１８ａ，１８ｄによって誘導されるようになっている。
【００３５】
次に連動機構１５を説明する。図８に示すように、一方引戸１ａ及び他方引戸１ｂの把手側の上端部には、それぞれ、一方引戸１ａの上端部から中央引戸１ｃの移動経路Ｃに向って突出する傾斜連動金具１５ａが取り付けられている。中央引戸１ｃの両サイドの上端部には、傾斜連動金具１５ａに係脱可能な受け部材１５ｅが各々取り付けられている。これら傾斜連動金具１５ａと受け部材１５ｅとによって、一方引戸１ａ側の操作力を中央引戸１ｃに伝達して中央引戸１ｃを一方引戸１ａに連動して開閉させるための連動機構１５が構成されている。
【００３６】
ここで、上記傾斜連動金具１５ａは、図９に示すように、基端から先端にいく程上記一方引戸１ａの開き方向Ｄとは反対方向に位置するように傾斜した押し側の傾斜ガイド面１５ｂと、押し側の傾斜ガイド面１５ｂの先端から一方引戸１ａの開き方向Ｄに向かって屈曲する係止面１５ｃと、係止面１５ｃの先端から押し側の傾斜ガイド面１５ｂと略平行に対向するように突出した引き側の傾斜ガイド面１５ｄとが一体形成されている。ここで、一方引戸１ａ側の操作力を中央引戸１ｃに効率良く伝達するためには、押し側の傾斜ガイド面１５ｂ及び引き側の傾斜ガイド面１５ｄを中央引戸１ｃの移動経路Ｃに対して直角に傾斜させるのが最も好ましい。そして、一方引戸１ａと中央引戸１ｃとが左右にずれた状態では受け部材１５ｅは傾斜連動金具１５ａとは干渉せず、一方引戸１ａと中央引戸１ｃとが概ね重なる段階で受け部材１５ｅが押し側の傾斜ガイド面１５ｂに片当たりし、さらに一方引戸１ａと中央引戸１ｃとが他方引戸１ｂを挟んで前後に離反する連動開始段階で、受け部材１５ｅが押し側の傾斜ガイド面１５ｂに押されてその押し操作力が中央引戸１ｃの移動経路Ｃと略平行な方向に向かって作用するようになり、逆に閉じる際には受け部材１５ｅが係止面１５ｃに係止した状態で中央引戸１ｃが閉じ位置に近づき、さらに連動終了直前段階に受け部材１５ｅが引き側の傾斜ガイド面１５ｄに引かれてその引き操作力Ｐ２が中央引戸１ｃの移動経路Ｃと略平行な方向に向かって作用するものである。
【００３７】
本例では上記受け部材１５ｅは、ローラーで構成されている。
【００３８】
次に動作を説明する。例えば、図１、図６に示すように、右側の一方引戸１ａを開く方向Ｄに移動して開く場合、一方引戸１ａと中央引戸１ｃとが左右にずれた状態では受け部材１５ｅは傾斜連動金具１５ａとは干渉せず、一方引戸１ａと中央引戸１ｃとが概ね重なる段階で受け部材１５ｅが傾斜連動金具１５ａの押し側の傾斜ガイド面１５ｂに片当たりし、さらに一方引戸１ａと中央引戸１ｃとが他方引戸１ｂを挟んで前後に離反する連動開始段階において図９（ａ）に示すように、受け部材１５ｅが押し側の傾斜ガイド面１５ｂの基端側により押されてその押し操作力Ｐ１が中央引戸１ｃの移動経路Ｃと略平行な方向に向かって作用する。つまり、押し側の傾斜ガイド面１５ｂの基端から先端までのどの位置でも受け部材１５ｅに対しては、中央引戸１ｃの移動経路Ｃ（湾曲レール部１３のレール方向）と平行な操作力Ｐ１が作用するため、力のロスがなく、中央引戸１ｃがスムーズに斜め後方に向かって開かれるようになる。そして、図１（ｂ）→（ｃ）→（ｄ）のように、中央引戸１ｃと一方引戸１ａは前後に離反した段階で、受け部材１５ｅは傾斜連動金具１５ａの係止面１５ｃに係止した状態となり、この係止状態は一方引戸１ａ及び中央引戸１ｃが全開位置に至るまで持続される。
【００３９】
逆に、一方引戸１ａを閉じる方向Ｅに移動して閉じる際には、受け部材１５ｅは係止面１５ｃに係止した状態で一方引戸１ａと中央引戸１ｃとが連動して閉じられ、その後、連動終了直前段階において、図９（ｂ）に示すように、受け部材１５ｅが引き側の傾斜ガイド面１５ｄに引かれ、その引き操作力Ｐ２が中央引戸１ｃの移動経路Ｃと略平行な方向に向かって作用する。これにより、図９（ａ）の開く場合と同様に、力のロスがなく、中央引戸１ｃがスムーズに斜め前方に向かって移動することができる。なお中央引戸１ｃが閉位置に達すると、図１（ｄ）→（ｃ）→（ｂ）のように、受け部材１５ｅが引き側の傾斜ガイド面１５ｄから外れて連動が解除され、一方引戸１ａは単独で閉位置まで移動可能となる。
【００４０】
上記構成によれば、一方引戸１ａと中央引戸１ｃとを連動機構１５によって連動させることができるので、中央引戸１ｃを手で開閉する必要がなくなり、開閉操作がきわめて容易となると共に、連動機構１５は押し側の傾斜ガイド面１５ｂと係止面１５ｃと引き側の傾斜ガイド面１５ｄとを一体形成した簡単な構造であるため、コスト低減を図ることができる。
【００４１】
さらに、連動機構１５の押し側の傾斜ガイド面１５ｂ及び引き側の傾斜ガイド面１５ｄは、それぞれ、先端になる程上記一方引戸１ａの開き方向Ｄ（図９）とは反対方向に傾斜しているため、一方引戸１ａと中央引戸１ｃとの連動開始段階では、中央引戸１ｃの受け部材１５ｅに対して一方引戸１ａの押し側の傾斜ガイド面１５ｂから加わる押し操作力Ｐ１の方向は中央引戸１ｃの移動経路Ｃと略平行となるため、一方引戸１ａの押し操作力Ｐ１を効率よく中央引戸１ｃに伝達することができる。また一方引戸１ａと中央引戸１ｃの連動終了直前段階では、中央引戸１ｃの受け部材１５ｅに対して一方引戸１ａの引き側の傾斜ガイド面１５ｄから加わる引き操作力Ｐ２の方向が中央引戸１ｃの移動経路Ｃと略平行となるため、一方引戸１ａの引き操作力Ｐ２を効率よく中央引戸１ｃに伝達することができ、結果、開閉いずれの場合も、中央引戸１ｃの滑らかな連動開閉が可能になる。つまり、操作力Ｐ１（Ｐ２）のほぼすべてが中央引戸１ｃの移動に寄与して、力のロスをなくすことができるので、小さな操作力で済む。この結果、開閉操作性が大幅に向上するものである。
【００４２】
しかも、受け部材１５ｅはローラーで構成されているため、連動開始段階及び連動終了直前段階において、それぞれ、傾斜連動金具１５ａと受け部材１５ｅとの摩擦が極力小さくなり、その際の開閉操作力をより一層低減することができる。
【００４３】
また本例では、図１に示すように、中央引戸１ｃの両端側にそれぞれ受け部材１５ｅを取り付け、一方引戸１ａの右端（把手側）、及び、他方引戸１ｂの左端（把手側）に、それぞれ、傾斜連動金具１５ａを取り付けた構成となっているため、左開きと左開きのいずれの場合も、連動機構１５が働く構造となる。つまり、３枚の引戸１が一列に段差なく面一に配置された全閉状態で、他方引戸１ａを一方引戸１ａ側に向けて移動する（実施形態では左側の引戸１である他方引戸１ｂを右側に移動する）ことで、連動機構１５により中央引戸１ｃを他方引戸１ｂに連動して移動すると共に、誘導機構１９により他方引戸１ｂを一方引戸１ａの前方側に重ねるように誘導し且つ中央引戸１ｃを一方引戸１ａの後方側に重ねるように誘導し、前から順に他方引戸１ｂ、一方引戸１ａ、中央引戸１ｃの順に重ねるように開くことができるものである。
【００４４】
なお、各引戸１の下端部の中央の１箇所には下ローラー２７が突設されている。下ローラー２７はＬ形金具（図示せず）を介して引戸１〜３の各下端部の中央位置に取り付けられている。下ローラー２７をガイドする下レール６には、図５に示すように、共用レール部１０１の長手方向Ｍの両端側から後方Ｂに向って傾斜した左右の曲進レール部４２，４３がそれぞれ設けられ、共用レール部１０１と平行で後ろ側に位置する中央引戸用レール部１０２の中央部から前方Ａに向って半円形状に湾曲した１つの湾曲レール部４４が設けられている。なお図５中の４５は分岐用補助レールである。
【００４５】
ここで、下レール６の左側の曲進レール部４２の位置は、上レール５の左側の外側曲進レール部１１と内側曲進レール部１２との中間位置に対向しており、下レール６の右側の曲進レール部４３の位置は、上レール５の右側の外側曲進レール部１１と内側曲進レール部１２との中間位置に対向しており、下レール６の湾曲レール部４４の位置は、上レール５の左右の湾曲レール部１３，１３の中間位置に対向している。
【００４６】
そして、各引戸１の上端部は左右２個の上ランナー２１（２２，２３）で吊り下げ支持され、３枚の引戸１が面一となって閉じた状態で、一方引戸１ａの下ローラー２７が右側の曲進レール部４３の後端部に位置し、中央の引戸１ｃの下ローラー２７が湾曲レール部４４の前端部に位置し、他方引戸１ｂの下ローラー２７が左側の曲進レール部４２の後端部に位置する。また、図６（ｃ）の右開きの場合、他方引戸１ｂの下ローラー２７が左側の曲進レール部４２の後端部に位置し、一方引戸１ａの下ローラー２７が共用レール部１０１の直線部分の右端に位置し、中央の引戸１ｃの下ローラー２７が中央引戸用レール部１０２の直線部分の左端に位置する。また、図７（ｃ）の左開きの場合、一方引戸１ａの下ローラー２７が右側の曲進レール部４３の後端部に位置し、他方引戸１ｂの下ローラー２７が共用レール部１０１の直線部分の右端に位置し、中央の引戸１ｃの下ローラー２７が中央引戸用レール部１０２の直線部分の右端に位置する。
【００４７】
このように下端部は１個の下ローラー２７で下レール６にガイドされる結果、各引戸１の走行の安定化を十分に図ることができると共に、１個の下ローラー２７を用いることで、下レール６の溝形状を上レール５の溝形状よりも簡易にでき、下レール６のコスト低減を図ることができる利点もある。
【００４８】
ところで、上記のような構成の引戸装置において、３枚の引戸１を略一列に並べて全閉状態とするに当たって、例えば、図１（ｅ）の３枚の引戸１を前後方向に重ねた開状態において、他方引戸１ｂの前方に重なっている一方引戸１ａを閉じる方向に移動させ（つまり一方引戸１ａの左右両上ランナー２１を前側直進レール部９に沿って右側に移動させ）、連動機構１５により他方引戸１ｂの後方に重なっている中央引戸１ｂを閉じる方向に連動して移動させ、図１（ｄ）→（ｃ）→（ｂ）のように誘導機構１９により中央引戸１ｃの左右各上ランナー２３が左右２個の湾曲レール部１３の各前端部にそれぞれ入り込ませ、その後、一方引戸１ａを前側直進レール部９に沿って一方引戸１ａの左右両上ランナー２１を前側直進レール部９に沿って更に右側に移動して右の上ランナー２１を右側の外側曲進レール部１１に導入すると共に左側の上ランナー２１を右側の内側曲進レール部１２に導入することで、一方引戸１ａを右側に移動して閉じた状態で該一方引戸１ａを後側にずらし、該一方引戸１ａの左右の上ランナー２１をそれぞれ右側の外側曲進レール部１１の後端部と右側の内側曲進レール部１２の後端部に位置させ、これにより該一方引戸１ａを、左右のランナー２２がそれぞれ左側の外側曲進レール部１１の後端部と左側の内側曲進レール部１２の後端部に位置する他方の引戸１ｂと、左右の上ランナー２３が左右２個の湾曲レール部１３の各前端部に位置する中央引戸１ｃと面一に連続させて、全閉状態とするのであるが、この場合、一方引戸１ａの左右の上ランナー２１をそれぞれ右側の外側曲進レール部１１の後端部と右側の内側曲進レール部１２の後端部に位置していなくても、つまり、一方引戸１ａの左右の上ランナー２１が右側の外側曲進レール部１１及び右側の内側曲進レール部１２に導入されて後端部まで到ることなく後端部の近くで停止した状態であっても、ほぼ３枚の引戸１が全閉に近い状態となり、僅かに中央引き戸１ｃの前面と一方引戸１ａの前面との間に段差ができて面一に連続しない場合がある。つまり、図１７（ａ）に示すように僅かに段差ができてほぼ全閉状態となる場合がある。
【００４９】
また、３枚の引戸１が段差がないように面一に連続して全閉状態となっいる場合でも一方引戸１ａや他方引戸１ｂに外力が作用した場合、上ランナー２１や上ランナ２２が外側曲進レール部１１の後端部及び内側曲進レール部１２の後端部から僅かに前方に移動して一方引戸１ａや他方引戸１ｂの前面と中央引戸１ｃの前面との間に僅かな隙間ができる場合がある。
【００５０】
ところが、このような僅かに段差がある全閉状態において、例えば右側の他方引戸１ｂを一方引戸１ａ側に移動して開動作をする場合、図１７（ｂ）に示すように一方引戸１ａの前面が僅かに中央引戸１ｃよりも前方に突出しているので、他方引戸１ｂの端部が一方引戸１ａの側端部に衝突して開けなくなる事態が生じる可能性がある。
【００５１】
そこで、本発明にあっては、３枚の引戸１を全閉にして３枚の引戸１が面一に並んで閉じた状態を保持する面一状態閉じ保持手段２を設けてあって、使用者は面一状態保持手段２で保持されたことを操作時における手の感覚等により知り、また、面一状態保持手段２で保持されにより面一状態が保持されることで、全閉状態で段差が生じないようにでき、一方引戸１ａを他方引戸１ｂ側に移動したり、他方引戸１ｂを一方引戸１ａ側に移動したりして閉じ操作を行う際、一方引き戸１ａの移動側先端が他方引戸１ｂの端部に衝突したり、また、他方引き戸１ｂの移動側先端が一方引戸１ａの端部に衝突したりすることがなく、スムーズに３枚の引戸１を前後方向に重ねて開くことができるようになっている。
【００５２】
図１３、図１４には面一状態保持手段２の一例が示してある。本実施形態においては、上レール５の左右の外側曲進レール部１１の後端部の両側部分と、左右の内側曲進レール部１２の後端部の両側部分と、左右２個の湾曲レール部１３の前方及び後方部分とにそれぞれ凹部２ａ又は凸部を設け、３枚の引戸１を一列に面一に並んで閉じた状態において、ランナー２１、２２、２３の上ローラー２６が凹部２ａ又は凸部に係合するように構成してあって、ランナー２１、２２、２３の上ローラー２６が凹部２ａ又は凸部に係合する構成とすることで３枚の引戸１が面一に並んで閉じた状態を保持する面一状態閉じ保持手段２としている。図１３では上レール５に凹部２ａを設け、面一となって閉じた状態でランナー２１、２２、２３が凹部２ａに嵌り込んで係合することで面一となって閉じた状態を保持するようになっている。図１４（ａ）は凹部２ａにランナー２１（２２）の上ローラー２６が嵌り込んでいない状態、図１４（ｂ）は凹部２ａにランナー２１（２２）の上ローラー２６が嵌り込んでいる状態を示し、この図１４（ｂ）の状態では面一となって閉じた状態が保持されることになる。
【００５３】
使用者は、閉じ操作をした場合、ランナー２１、２２、２３の上ローラー２６が凹部２ａ又は凸部に係合することで、係合時に手に伝わる感触、例えばランナー２１、２２、２３の上ローラー２６が凹部２ａに嵌り込んで係合する感触や、凸部を乗り越えて係合する感触により面一に閉じた状態を知ることができ、また、面一に閉じた状態では、不用意な外力が一方引戸１ａ又は他方引戸１ｂに作用しても、面一状態保持手段２により３枚の引戸１が面一で閉じている状態が保持されることになって、不用意に段差が生じたりしない。
【００５４】
一方、３枚の引戸１が面一状態で閉じている場合に、一方引戸１ａ又は他方引戸１ｂを移動して開き操作をする場合、上記面一状態保持手段２による保持力以上の力を加えて移動させることで、上ローラー２６と凹部２ａ又は凸部との係合を乗り越えて移動させて開操作することができる。
【００５５】
図１５、図１６には３枚の引戸１を全閉にして３枚の引戸１が面一に並んで閉じた状態を保持する面一状態閉じ保持手段２の他の実施形態が示してある。
【００５６】
本実施形態においては、一方引戸１ａの側端部及びこれと対向する戸枠４の縦枠４ａの一方に磁石２ｂ、他方に当該磁石２ｂと磁着する磁性体２ｃを設け、更に、他方引戸１ｂのの側端部及びこれと対向する戸枠４の縦枠４ａの一方に磁石２ｂ、他方に当該磁石２ｂと磁着する磁性体２ｃを設け、これら磁石２ｂと磁性体２ｃとにより３枚の引戸１が一列に面一に並んで閉じた状態を保持する面一状態閉じ保持手段２を構成してある。
【００５７】
すなわち、図１５においては、戸枠４の左右の縦枠４ａからそれぞれ磁石２ｂを突設し、一方引戸１ａの右側の側端部の後面に金属板のような磁性体２ｃを設けると共に他方引戸１ｂの左側の側端部の後面に金属板のような磁性体２ｃを設けたもので、３枚の引戸１が面一に並んで閉じた状態で一方引戸１ａ及び他方引戸１ｂの磁性体２ｃがそれぞれ左右縦枠４ａから突設した磁石２ｂに磁着し、これにより３枚の引戸１が面一に並んで閉じた状態を保持するようにしている。
【００５８】
また、図１６においては、戸枠４の左右の縦枠４ａに磁石２ｂを埋設し、一方引戸１ａの右側の側端面部に金属板のような磁性体２ｃを設けると共に他方引戸１ｂの左側の側端面部に金属板のような磁性体２ｃを設けたもので、３枚の引戸１が面一に並んで閉じた状態で一方引戸１ａ及び他方引戸１ｂの磁性体２ｃがそれぞれ左右縦枠４ａに設けた磁石２ｂに磁着し、これにより３枚の引戸１が面一に並んで閉じた状態を保持するようにしている。
【００５９】
本実施形態において使用者は、閉じ操作をした場合、磁石２ｂが磁性体２ｃに磁着した際における手の感触により面一に閉じた状態を知ることができ、また、面一に閉じた状態では、不用意な外力が一方引戸１ａ又は他方引戸１ｂに作用しても、磁石２ｂと磁性体２ｃよりなる面一状態保持手段２で３枚の引戸１が面一で閉じている状態が保持されることになって、不用意に段差が生じたりしない。
【００６０】
一方、３枚の引戸１が面一状態で閉じている場合に、一方引戸１ａ又は他方引戸１ｂを移動して開き操作をする場合、上記面一状態保持手段２を構成する磁石２ｂと磁性体２ｃによる吸着力以上の力を加えて移動させることで開操作することができる。
【００６１】
なお、本発明に係る引戸装置は、クローゼットの扉以外に各種の開閉扉の分野にも広く適用できるものである。
【図面の簡単な説明】
【００６２】
【図１】本発明の引戸装置の開閉動作を示し、（ａ）は３枚の引戸を面一に閉じた状態を示す概略平面図であり、（ｂ）（ｃ）（ｄ）は開閉途中の状態を示す概略平面図であり、（ｅ）は３枚の引戸を前後に重ねた全開状態を示す概略平面図である。
【図２】同上の面一に閉じた状態を示す背面図である。
【図３】同上の上レールを示し、（ａ）は上下反転した状態の斜視図であり、（ｂ）は同上の上下反転した状態の分解斜視図である。
【図４】（ａ）は同上の上レールにおける補助レールの配置を示す平面図であり、（ｂ）は３枚の引戸に設けたランナー、補助ローラの位置関係を示す説明図である。
【図５】同上の下レールを示す平面図である。
【図６】（ａ）（ｂ）（ｃ）は同上の右開きの操作順序を示す説明図である。
【図７】（ａ）（ｂ）（ｃ）は同上の左開きの操作順序を示す説明図である。
【図８】同上の連動機構を示す斜視図である。
【図９】（ａ）は同上の連動機構の開操作時における動作を示す動作説明図であり、（ｂ）は閉操作時における動作を示す動作説明図である。
【図１０】同上の３枚の引戸が前後に重なっている状態を示す断面図である。
【図１１】同上の背の低い２連補助ローラーが垂下長の長い補助レールにガイドされている状態を示す断面図である。
【図１２】同上の背の高い２連補助ローラーが垂下長の短い補助レールにガイドされている状態を示す断面図である。
【図１３】同上の上レールに面一状態保持手段となる凹部を構成した例を示す平面図である。
【図１４】（ａ）は同上の上ランナーな凹部に入り込んでいない状態を示す斜視図であり、（ｂ）は同上の上ランナーな凹部に入り込んで係合している状態を示す斜視図である。
【図１５】同上の磁石と磁性体とで面一状態保持手段を構成した例を示す平面図である。
【図１６】同上の磁石と磁性体とで面一状態保持手段を構成した他例を示す平面図である。
【図１７】（ａ）は面一状態保持手段を設けないために閉じた状態で隣接する引戸間の段差が生じた場合を示す説明図であり、（ｂ）は段差が生じているため引戸を開く際に引戸同士が衝突する場合を示す説明図である。
【符号の説明】
【００６３】
１  引戸
１ａ  一方引戸
１ｂ  他方引戸
１ｃ  中央引戸
２  面一状態閉じ保持手段
２ａ  凹部
２ｂ  磁石
２ｃ  磁性体
５  上レール
１９  誘導機構
２１  上ランナー
２２  上ランナー
２３  上ランナー
【図１】
2006112160.tif 000003
【図２】
2006112160.tif 000004
【図３】
2006112160.tif 000005
【図４】
2006112160.tif 000006
【図５】
2006112160.tif 000007
【図６】
2006112160.tif 000008
【図７】
2006112160.tif 000009
【図８】
2006112160.tif 000010
【図９】
2006112160.tif 000011
【図１０】
2006112160.tif 000012
【図１１】
2006112160.tif 000013
【図１２】
2006112160.tif 000014
【図１３】
2006112160.tif 000015
【図１４】
2006112160.tif 000016
【図１５】
2006112160.tif 000017
【図１６】
2006112160.tif 000018
【図１７】
2006112160.tif 000019